(57)【要約】【課題】本発明は、曲面を有する基材に被剥離層を貼りつけた半導体装置およびその作製方法を提供することを課題とする。特に、曲面を有するディスプレイ、具体的には曲面を有する基材に貼りつけられた有機発光素子を有する発光装置の提供を課題とする。【解決手段】金属層または窒化物層からなる第１の材料層と酸化物層からなる第２の材料層との積層を利用して基板に設けられた有機発光素子を含む被剥離層をフィルムに転写し、フィルム及び被剥離層を湾曲させることによって曲面を有するディスプレイを実現する。【選択図】図１２
2020170169.tif 000002
【特許請求の範囲】
【請求項１】
凸状または凹状に湾曲した曲面を有する基材上に、薄膜トランジスタ及び有機化合物を含む層を発光層とする発光素子を有する表示装置。
【発明の詳細な説明】
【技術分野】
【０００１】
本発明は、剥離した被剥離層を基材に貼りつけて転写させた薄膜トランジスタ（以下、
ＴＦＴという）で構成された回路を有する半導体装置、例えば、液晶モジュールに代表さ
れる電気光学装置やＥＬモジュールに代表される発光装置、およびその様な装置を部品と
して搭載した電子機器またはこれらを搭載した乗物に関する。また、これらの作製方法に
関する。
【０００２】
なお、本明細書中において半導体装置とは、半導体特性を利用することで機能しうる装
置全般を指し、電気光学装置、発光装置、半導体回路および電子機器は全て半導体装置で
ある。
【背景技術】
【０００３】
近年、絶縁表面を有する基板上に形成された半導体薄膜（厚さ数〜数百ｎｍ程度）を用
いて薄膜トランジスタ（ＴＦＴ）を構成する技術が注目されている。薄膜トランジスタは
ＩＣや電気光学装置のような電子デバイスに広く応用され、特に画像表示装置のスイッチ
ング素子として開発が急がれている。
【０００４】
また、自動車や航空機などの乗物にさまざまな表示装置、例えば、ナビゲーションの表
示装置やオーディオの操作画面表示装置や計器の表示装置を搭載する試みがなされている
。
【０００５】
このような画像表示装置を利用したアプリケーションは様々なものが期待されているが
、特に携帯機器への利用が注目されている。現在、ガラス基板や石英基板が多く使用され
ているが、割れやすく、重いという欠点がある。また、大量生産を行う上で、ガラス基板
や石英基板は大型化が困難であり、不向きである。そのため、可撓性を有する基板、代表
的にはフレキシブルなプラスチックフィルムの上にＴＦＴ素子を形成することが試みられ
ている。
【０００６】
しかしながら、プラスチックフィルムの耐熱性が低いためプロセスの最高温度を低くせ
ざるを得ず、結果的にガラス基板上に形成する時ほど良好な電気特性のＴＦＴを形成でき
ないのが現状である。そのため、プラスチックフィルムを用いた高性能な発光素子や液晶
表示装置は実現されていない。
【発明の概要】
【発明が解決しようとする課題】
【０００７】
もし、プラスチックフィルム等の可撓性を有する基板の上に有機発光素子（ＯＬＥＤ：
Organic Light Emitting Device）が形成された発光装置や、液晶表示装置を作製するこ
とができれば、厚みが薄く軽量であるということに加えて、曲面を有するディスプレイや
、ショーウィンドウ等などにも用いることができる。
よって、その用途は携帯機器のみに限られず、応用範囲は非常に広い。
【０００８】
また、曲面を有するディスプレイが実現すれば、限られた空間、例えば自動車や航空機
などの乗物の運転席などに映像や計器のディスプレイを設けようとする場合、さまざまな
曲面を有する部位（窓や天井やドアやダッシュボードなど）に設置することができ、空間
スペースを狭めることができる。従来では、ディスプレイは平面であって、乗物の空間ス
ペースを狭める、或いは、平面ディスプレイをはめこむために壁を切り取り、取りつけ作
業などが複雑なものとなっていた。
【０００９】
本発明は、曲面を有する基材に被剥離層を貼りつけた半導体装置およびその作製方法を
提供することを課題とする。特に、曲面を有するディスプレイ、具体的には曲面を有する
基材に貼りつけられた有機化合物を含む層を発光層とする発光素子を有する発光装置、或
いは曲面を有する基材に貼りつけられた液晶表示装置の提供を課題とする。
【００１０】
また、本発明は、フレキシブルなフィルム（湾曲することが可能なフィルム）
にＴＦＴを代表とする様々な素子（薄膜ダイオード、シリコンのＰＩＮ接合からなる光電
変換素子やシリコン抵抗素子）を貼りつけた半導体装置およびその作製方法を提供するこ
とを課題とする。
【課題を解決するための手段】
【００１１】
本発明は、基板上に素子を含む被剥離層を形成する際、素子のチャネルとして機能する
領域のチャネル長方向を全て同一方向に配置し、該チャネル長方向と同一方向に走査する
レーザー光の照射を行い、素子を完成させた後、さらに、前記チャネル長方向と異なって
いる方向、即ちチャネル幅方向に湾曲した曲面を有する基材に貼り付けて曲面を有するデ
ィスプレイを実現するものである。なお、被剥離層を曲面を有する基材に貼り合わせた場
合には、基材の曲面に沿って被剥離層も曲げられることとなる。本発明は、素子のチャネ
ル長方向が全て同一方向に配置されており、チャネル長方向と基材が湾曲している方向と
が異なっているため、素子を含む被剥離層が曲がったとしても素子特性への影響を最小限
に抑えることができる。即ち、ある方向（ここでは基材が湾曲している方向）への変形に
強い半導体装置を提供することも可能となる。
【００１２】
本明細書で開示する作製方法に関する発明の構成は、基板上に素子を含む被剥離層を形
成する工程と、前記素子を含む被剥離層に支持体を接着した後、該支持体を基板から物理
的手段により剥離する工程と、  前記素子を含む被剥離層に転写体を接着し、前記支持体
と前記転写体との間に前記素子を挟む工程とを有する半導体装置の作製方法であって、前
記素子は、絶縁膜を間に挟んでゲート電極と重なる半導体層をチャネルとする薄膜トラン
ジスタであり、前記半導体層を形成する工程は、前記チャネルのチャネル長方向と同一方
向で走査するレーザー光の照射を行う処理を有することを特徴とする半導体装置の作製方
法である。
【００１３】
ただし、上記構成において、被剥離層の機械的強度が十分である場合には、被剥離層を
固定する転写体を貼り合わせなくともよい。
【００１４】
なお、上記構成において、前記薄膜トランジスタは複数設けられ、且つ、該複数の薄膜
トランジスタのチャネル長方向は全て同一方向に配置されていることを特徴としている。
【００１５】
また、上記構成において、前記支持体は、凸状または凹状に湾曲した曲面を有し、前記
支持体が湾曲している方向と前記チャネル長方向は異なっていることを特徴としている。
また、転写体を貼り付ける場合、支持体の曲面に沿って転写体も凸状または凹状に湾曲し
た曲面を有する。従って、上記構成において、前記転写体は、凸状または凹状に湾曲した
曲面を有し、前記支持体が湾曲している方向と前記チャネル長方向は異なっていることを
特徴としている。
【００１６】
また、上記構成において、液晶表示装置を形成する場合、前記支持体は対向基板であっ
て、前記素子は画素電極を有しており、該画素電極と、前記対向基板との間には液晶材料
が充填されていることを特徴としている。
【００１７】
また、上記構成において、有機化合物を含む層を発光層とする発光素子を有する発光装
置を形成する場合、前記支持体は封止材であって、前記素子は発光素子であることを特徴
としている。
【００１８】
また、上記構成において、剥離方法としては、特に限定されず、被剥離層と基板との間
に分離層を設け、該分離層を薬液（エッチャント）で除去して被剥離層と基板とを分離す
る方法や、被剥離層と基板との間に非晶質シリコン（またはポリシリコン）からなる分離
層を設け、基板を通過させてレーザー光を照射して非晶質シリコンに含まれる水素を放出
させることにより、空隙を生じさせて被剥離層と基板を分離させる方法などを用いること
が可能である。なお、レーザー光を用いて剥離する場合においては、剥離前に水素が放出
しないように熱処理温度を４１０℃以下として被剥離層に含まれる素子を形成することが
望ましい。
【００１９】
また、他の剥離方法として、２層間の膜応力を利用して剥離を行う剥離方法を用いても
よい。この剥離方法は、基板上に設けた金属層、好ましくは窒化金属層を設け、さらに前
記窒化金属層に接して酸化層を設け、該酸化層の上に素子を形成し、成膜処理または５０
０℃以上の熱処理を行っても、膜剥がれ（ピーリング）が生じずに、物理的手段で容易に
酸化層の層内または界面において、きれいに分離できるものである。さらに剥離を助長さ
せるため、前記物理的手段により剥離する前に、加熱処理またはレーザー光の照射を行う
処理を行ってもよい。
【００２０】
上記２層間の膜応力を利用して剥離を行う剥離方法を用いて半導体装置を作製する本発
明の作製方法に関する構成は、第１の基板上に半導体素子を含む被剥離層を形成する第１
工程と、前記被剥離層に第２の基板を第１の接着材で接着させ、前記被剥離層を前記第１
の基板と前記第２の基板とで挟む第２工程と、前記被剥離層と前記第１の基板とを分離す
る第３工程と、前記被剥離層に第３の基板を第２の接着材で接着させ、前記被剥離層を前
記第２の基板と前記第３の基板とで挟む第４工程と、前記被剥離層と前記第２の基板とを
分離して、前記第２の接着材及び前記第３の基板を支持体とする前記被剥離層を形成する
第５工程と、前記第３の基板を湾曲させる第６工程とを有することを特徴とする半導体装
置の作製方法である。
【００２１】
上記構成における前記第５工程において、前記第１の接着材は溶媒溶液で溶かして除去
し、前記被剥離層と前記第２の基板とを分離する、或いは、前記第１の接着材は感光性を
有する接着材であり、前記第５工程において、光を照射して前記被剥離層と前記第２の基
板とを分離することを特徴としている。また、前記第１の基板及び前記第２の基板は、前
記第３の基板よりも剛性が高い材料であって、前記第３の基板は、可撓性を有する基板で
あることが望ましい。
【００２２】
なお、上記構成においても前記半導体素子は、絶縁膜を間に挟んでゲート電極と重なる
半導体層をチャネルとする薄膜トランジスタであって、前記半導体層を形成する工程は、
前記チャネルのチャネル長方向と同一方向で走査するレーザー光の照射を行うことが好ま
しい。
【００２３】
また、上記２層間の膜応力を利用して剥離を行う剥離方法を用いて有機化合物を含む層
を発光層とする発光素子を有する半導体装置を作製する本発明の作製方法に関する構成は
、第１の基板上に有機化合物を含む層を発光層とする発光素子または半導体素子を含む被
剥離層を形成する第１工程と、前記被剥離層に第２の基板を第１の接着材で接着させ、前
記被剥離層を前記第１の基板と、フィルムが設けられた前記第２の基板とで挟む第２工程
と、前記被剥離層と前記第１の基板とを分離する第３工程と、前記被剥離層に第３の基板
を第２の接着材で接着させ、前記被剥離層を前記第２の基板と前記第３の基板とで挟む第
４工程と、前記フィルムと前記第２の基板とを分離して、前記フィルム、前記第２の接着
材、及び前記第３の基板を支持体とする前記被剥離層を形成する第５工程と、前記第３の
基板を湾曲させる第６工程とを有することを特徴とする半導体装置の作製方法である。
【００２４】
上記構成において、前記フィルムは感光性を有する接着材を両面または片面に有するテ
ープであり、前記第５工程において、光を照射して前記フィルムと前記第２の基板とを分
離することを特徴としている。また、前記第１の基板及び前記第２の基板は、前記第３の
基板よりも剛性が高い材料であって、前記第３の基板は、可撓性を有する基板であること
が望ましい。
【００２５】
なお、上記構成においても前記半導体素子は、絶縁膜を間に挟んでゲート電極と重なる
半導体層をチャネルとする薄膜トランジスタであって、前記半導体層を形成する工程は、
前記チャネルのチャネル長方向と同一方向で走査するレーザー光の照射を行うことが好ま
しい。
【００２６】
以上に示した本発明の作製方法により得られる半導体装置は様々な特徴を有している。
【００２７】
本明細書で開示する発明の構成１は、凸状または凹状に湾曲した曲面を有する基材上に
、複数の薄膜トランジスタが設けられ、該複数の薄膜トランジスタのチャネル長方向は全
て同一方向に配置され、且つ、前記チャネル長方向は、前記基材の湾曲している方向とは
異なっていることを特徴とする半導体装置である。
【００２８】
また、本発明は、画素部と駆動回路とにそれぞれ異なる薄膜トランジスタを形成した場
合においても適用することができ、他の発明の構成２は、凸状または凹状に湾曲した曲面
を有する基材上に、画素部と駆動回路部が設けられ、前記画素部に設けられた薄膜トラン
ジスタのチャネル長方向と、前記駆動回路部に設けられた薄膜トランジスタのチャネル長
方向は同一方向に配置され、且つ、前記チャネル長方向は、前記基材の湾曲している方向
とは異なっていることを特徴とする半導体装置である。なお、パターンのデザインルール
は５〜２０μm程度であり、駆動回路及び画素部にそれぞれ１０6〜１０7個程度のＴＦＴ
が基板上に作り込まれている。
【００２９】
また、上記各構成において、前記チャネル長方向は、前記薄膜トランジスタの半導体層
に照射されたレーザー光の走査方向と同一方向であることを特徴としている。基板上にレ
ーザーアニールにより結晶化させた半導体膜で薄膜トランジスタのチャネルを形成する場
合、結晶の成長方向とキャリアの移動方向とを揃えると高い電界効果移動度を得ることが
できる。即ち、結晶成長方向とチャネル長方向とを一致させることで電界効果移動度を実
質的に高くすることができる。連続発振するレーザービームを非単結晶半導体膜に照射し
て結晶化させる場合には、固液界面が保持され、レーザービームの走査方向に連続的な結
晶成長を行わせることが可能である。レーザー光としては、エキシマレーザー等の気体レ
ーザーや、ＹＡＧレーザーなどの固体レーザーや、半導体レーザーを用いればよい。また
、レーザー発振の形態は、連続発振、パルス発振のいずれでもよく、レーザービームの形
状も線状または矩形状でもよい。
【００３０】
また、上記各構成において、前記湾曲している方向と前記チャネル長方向は直交してい
ることを特徴としている。即ち、チャネル長方向は直交する方向とはチャネル幅方向であ
り、他の発明の構成３は、  凸状または凹状に湾曲した曲面を有する基材上に、複数の薄
膜トランジスタが設けられ、該複数の薄膜トランジスタのチャネル幅方向は全て同一方向
に配置され、且つ、前記チャネル幅方向は、前記基材の湾曲している方向と同一方向であ
ることを特徴とする半導体装置である。
【００３１】
なお、上記構成３においては、前記チャネル幅方向は、前記薄膜トランジスタの半導体
層に照射されたレーザー光の走査方向と直交することになる。
【００３２】
また、曲面を有する基材は、凸状または凹状に湾曲しているが、ある一方向に湾曲して
いる場合、曲率を持つ方向と曲率を持たない方向とを有する曲面を有しているとも言える
。従って、他の発明の構成４は、曲率を持つ方向と曲率を持たない方向とを有する曲面を
備えた基材表面上に設けられた複数の薄膜トランジスタのチャネル長方向は全て同一方向
に配置され、且つ、前記チャネル長方向と曲率を持たない方向とが同一方向であることを
特徴とする半導体装置である。
【００３３】
なお、上記構成４において、前記チャネル長方向は、前記薄膜トランジスタの半導体層
に照射されたレーザー光の走査方向と同一方向であることを特徴としている。
【００３４】
また、本発明は、フレキシブルなフィルム（湾曲することが可能なフィルム）
、好ましくは、一方向に湾曲するフィルムに被剥離層を貼り付ける場合にも適用できる。
なお、このフレキシブルフィルムは通常の状態では湾曲しておらず、なんらかの外部の力
によって、ある方向に曲げられるものとしている。他の発明の構成５は、  凸状または凹
状に湾曲することが可能な基材上に、複数の薄膜トランジスタが設けられ、該複数の薄膜
トランジスタのチャネル長方向は全て同一方向に配置され、且つ、前記基材が湾曲する方
向は、前記チャネル長方向と異なっていることを特徴とする半導体装置である。
【００３５】
なお、上記構成５において、前記チャネル長方向は、前記薄膜トランジスタの半導体層
に照射されたレーザー光の走査方向と同一方向であることを特徴としている。また、上記
構成５において、前記湾曲する方向と前記チャネル長方向は直交している、即ち、前記湾
曲する方向とチャネル幅方向は同一方向である。
【００３６】
なお、本明細書中において、転写体とは、剥離された後、被剥離層と接着させるもので
あり、曲面を有していれば、特に限定されず、プラスチック、ガラス、金属、セラミック
ス等、いかなる組成の基材でもよい。また、本明細書中において、支持体とは、物理的手
段により剥離する際に被剥離層と接着するためのものであり、特に限定されず、プラスチ
ック、ガラス、金属、セラミックス等、いかなる組成の基材でもよい。また、転写体の形
状および支持体の形状も特に限定されず、平面を有するもの、曲面を有するもの、可曲性
を有するもの、フィルム状のものであってもよい。また、軽量化を最優先するのであれば
、フィルム状のプラスチック基板、例えば、ポリエチレンテレフタレート（ＰＥＴ）、ポ
リエーテルスルホン（ＰＥＳ）、ポリエチレンナフタレート（ＰＥＮ）、ポリカーボネー
ト（ＰＣ）、ナイロン、ポリエーテルエーテルケトン（ＰＥＥＫ）、ポリスルホン（ＰＳ
Ｆ）、ポリエーテルイミド（ＰＥＩ）、ポリアリレート（ＰＡＲ）、ポリブチレンテレフ
タレート（ＰＢＴ）などのプラスチック基板が好ましい。
【００３７】
また、上記各作製方法によって、曲面を有するディスプレイを実現することが可能とな
り、自動車や航空機や船舶や列車などの乗物に搭載させることができる。乗物の内壁、天
井などは、なるべく空間スペースを広くとり、何らかの理由で人の体がぶつかっても問題
にならないよう滑らかな曲面で構成されている。他の発明の構成６は、凸状または凹状に
湾曲した曲面を有する基材上に、薄膜トランジスタ及び有機化合物を含む層を発光層とす
る発光素子を有する表示装置が計器または照明装置として搭載された乗物である。この薄
膜トランジスタ及び有機化合物を含む層を発光層とする発光素子を有する表示装置は、ア
クティブマトリクス型とすることが好ましいが、パッシブ型の表示装置を作製することも
可能である。
【００３８】
例えば、乗物の窓を基材とし、窓の曲面に沿って有機化合物を含む層を発光層とする発
光素子を有する表示装置を湾曲させて接着することによって、映像や計器の表示を行うこ
とができる。特に有機化合物を含む層を発光層とする発光素子を有する表示装置は非常に
薄く軽量なものとすることができ、空間スペースは変化しない。乗物の窓に有機化合物を
含む層を発光層とする発光素子を有する表示装置を接着させる場合には、基板や電極や配
線を透明なものとすることが望ましく、外光を遮断するフィルムを設けてもよい。また、
表示していない場合には、外の景色が問題なく確認できるようにすることが好ましい。
【００３９】
また、乗物の内壁、ドア、シート、車のダッシュボードに沿って有機化合物を含む層を
発光層とする発光素子を有する表示装置を湾曲させて接着することによっても、映像や計
器の表示を行うことができる。本発明のフレキシブルな表示装置を曲面に沿って貼り付け
るだけでよいため、表示装置を取り付ける作業は簡単であり、内壁、ドア、シート、ダッ
シュボードを部分的に加工したりする必要が特にない。また、例えば車においては、右ハ
ンドルであれば、左後方に車体の一部（窓ガラスの間の部分）があるため死角が存在して
いるが、窓ガラスの間の部分に本発明のフレキシブルな表示装置を貼りつけ、さらに車外
に死角方向を撮影できるカメラを取りつけ、互いに接続すれば、運転者が死角を確認する
ことができる。特に有機化合物を含む層を発光層とする発光素子を有する表示装置は、液
晶表示装置に比べ動画に強く、視野角が広い表示装置である。
【００４０】
また、乗物の天井を基材とし、天井の曲面に沿って有機化合物を含む層を発光層とする
発光素子を有する表示装置を湾曲させて接着することによって、映像の表示や内部の照明
を行うことができる。また、例えば車において、天井と、各窓ガラスの間の部分に本発明
のフレキシブルな表示装置を貼りつけ、さらに車外に各表示装置に対応する外部の景色を
撮影できるカメラを取りつけ、互いに接続すれば、車内にいる人は、車内に居ながらにし
てオープンカーのように外の景色を堪能することができる。また、例えば列車や電車にお
いて天井や側壁に本発明のフレキシブルな表示装置を貼りつければ、空間スペースを狭め
ることなく広告の表示やテレビ映像を映し出すことができる。特に有機化合物を含む層を
発光層とする発光素子を有する表示装置は、液晶表示装置に比べ視野角が広い表示装置で
ある。
【００４１】
上記乗物において、搭載した表示装置の曲面の曲率半径が５０ｃｍ〜２００ｃｍであれ
ば、薄膜トランジスタや有機化合物を含む層を発光層とする発光素子は問題なく駆動させ
ることができる。なお、設けられた複数の薄膜トランジスタのチャネル長方向は全て同一
方向に配置され、且つ、前記チャネル長方向は、前記基材の湾曲している方向とは異なら
せることが好ましい。
【発明の効果】
【００４２】
本発明により、大面積基板の全面にわたって、ＴＦＴを形成する半導体領域の位置に合わ
せてレーザービームを照射して結晶化させ、スループット良く大粒径の結晶半導体膜を形
成することができ、しかもＴＦＴの特性を向上させるとともに、曲面を有するディスプレ
イを実現することができる。
【００４３】
本発明により曲面を有するディスプレイが実現でき、限られた空間、例えば自動車や航空
機などの乗物の運転席などに映像や計器のディスプレイを設けようとする場合、さまざま
な曲面を有する部位（窓や天井やドアやダッシュボードなど）
に設置することができ、空間スペースを狭めることができる。
【図面の簡単な説明】
【００４４】
【図１】本発明を示す工程図である。（実施の形態）
【図２】本発明における各方向を示す図である。（実施の形態）
【図３】レーザー照射装置の一態様を示す配置図である。（実施例１）
【図４】レーザー照射装置の一態様を示す配置図である。（実施例１）
【図５】ＴＦＴが設けられた基板の構成と、ＴＦＴを構成する半導体領域の配置とレーザービームの走査方向の関係を説明する図である。
【図６】半導体膜におけるレーザービームの走査方向と、トップゲート型ＴＦＴの作製工程を説明する図である。
【図７】半導体膜におけるレーザービームの走査方向と、ボトムゲート型ＴＦＴの作製工程を説明する図である。
【図８】実施例３を示す工程図。
【図９】剥離後のｎチャネル型ＴＦＴのＶ−Ｉ特性グラフを示す図。
【図１０】剥離後のｐチャネル型ＴＦＴのＶ−Ｉ特性グラフを示す図。
【図１１】実施例４を示す工程図。
【図１２】湾曲させた有機化合物を含む層を発光層とする発光素子を有する半導体装置の外観図。（実施例４）
【図１３】車の運転席における前方周辺を示す図である。（実施例５）
【図１４】車の後部を示す図である。（実施例５）
【図１５】実施例６を示す工程図である。
【発明を実施するための形態】
【００４５】
本発明の実施形態について、以下に説明する。
【００４６】
以下に本発明を用いた代表的な作製手順を簡略に図１、図２を用いて示す。
【００４７】
図１（Ａ）中、１０は基板、１１ａは被剥離層、１２は剥離層に設けられた画素部、１
３aは画素部に設けられた半導体層、１３ｂは半導体層１３ａのチャネル長方向、１４ａ
はレーザー光の照射領域、１４ｂはレーザー光の照射方向をそれぞれ指している。
【００４８】
図１（Ａ）は、被剥離層を完成させる途中の作製工程図であり、半導体層にレーザー光
を照射する処理を示す簡略図である。このレーザー光の照射処理によってレーザー結晶化
やレーザーアニールを行うことができる。発振はパルス発振、連続発振のいずれの形態で
も良いが、半導体膜の溶融状態を保って連続的に結晶成長させるためには、連続発振のモ
ードを選択することが望ましい。
【００４９】
図１（Ａ）では、被剥離層に含まれる多数の半導体層のチャネル長方向は全て同一方向
に配置されている。また、レーザー光の照射方向、即ち走査方向は、チャネル長方向と同
一とする。こうすることによって、結晶成長方向とチャネル長方向とを一致させることで
電界効果移動度を実質的に高くすることができる。なお、図１（Ａ）では、線状レーザー
光を照射した例を示したが、特に限定されない。また、ここでは半導体層をパターニング
した後にレーザー光照射を行うが、パターニングする前にレーザー光照射を行ってもよい
。
【００５０】
次いで、電極および配線や絶縁膜等を形成してＴＦＴを代表とする様々な素子（薄膜ダ
イオード、シリコンのＰＩＮ接合からなる光電変換素子やシリコン抵抗素子など）を形成
し、被剥離層１１ｂを完成させた後、基板１０から剥離する。
【００５１】
なお、剥離する方法は、特に限定されないが、ここでは、熱処理温度や基板の種類に制
約を受けない剥離方法である、金属層または窒化物層と酸化物層との膜応力を利用した剥
離方法を用いる。まず、図１（Ａ）の状態を得る前に、基板１０上に窒化物層または金属
層（図示しない）を形成する。窒化物層または金属層として代表的な一例はＴｉ、Ｗ、Ａ
ｌ、Ｔａ、Ｍｏ、Ｃｕ、Ｃｒ、Ｎｄ、Ｆｅ、Ｎｉ、Ｃｏ、Ｒｕ、Ｒｈ、Ｐｄ、Ｏｓ、Ｉｒ
、Ｐｔから選ばれた元素、または前記元素を主成分とする合金材料若しくは化合物材料か
らなる単層、またはこれらの積層、或いは、これらの窒化物、例えば、窒化チタン、窒化
タングステン、窒化タンタル、窒化モリブデンからなる単層、またはこれらの積層を用い
ればよい。次いで、窒化物層または金属層上に酸化物層（図示しない）を形成する。酸化
物層として代表的な一例は酸化シリコン、酸化窒化シリコン、酸化金属材料を用いればよ
い。なお、酸化物層は、スパッタ法、プラズマＣＶＤ法、塗布法などのいずれの成膜方法
を用いてもよい。この酸化物層の膜応力と、窒化物層または金属層の膜応力とを異ならせ
ることが重要である。各々の膜厚は、１ｎｍ〜１０００ｎｍの範囲で適宜設定し、各々の
膜応力を調節すればよい。また、基板と窒化物層または金属層との間に絶縁層や金属層を
設け、基板１０との密着性を向上させてもよい。次いで、酸化物層上に半導体層を形成し
、被剥離層１１ａを得ればよい。なお、上記剥離方法は、酸化物層の膜応力と、窒化物層
または金属層の膜応力が異なっていても、被剥離層の作製工程における熱処理によって膜
剥がれなどが生じない。また、上記剥離方法は、酸化物層の膜応力と、窒化物層または金
属層の膜応力が異なっているため、比較的小さな力で引き剥がすことができる。
また、ここでは、被剥離層１１ｂの機械的強度が十分であると仮定した例を示しているが
、被剥離層１１ｂの機械的強度が不十分である場合には、被剥離層１１ｂを固定する支持
体（図示しない）を貼りつけた後、剥離することが好ましい。
なお、被剥離層１１ｂを引き剥がす際には、被剥離層１１ｂが曲らないようにし、被剥離
層にクラックを生じさせないようにすることも重要である。
【００５２】
こうして、酸化物層上に形成された被剥離層１１ｂを基板１０から分離することができる
。剥離後の状態を図１（Ｂ）に示す。なお、図１（Ｂ）に示す段階では半導体層だけでな
く、電極や配線などが形成されているが、簡略化のため、ここでは図示しない。
【００５３】
剥離後の被剥離層１１ｃは、湾曲させることができる。湾曲させた状態を図１（Ｃ）に
示す。被剥離層１１ｃは方向１９に示す方向に湾曲している。なお、曲面を有する転写体
（図示しない）に貼り付けることも可能であることは言うまでもない。
【００５４】
図１（Ｃ）中、１５は駆動回路（Ｘ方向）、１６aは駆動回路（Ｘ方向）に設けられた
半導体層、１６ｂは半導体層１６ａのチャネル長方向、１７は駆動回路（Ｙ方向）、１８
aは駆動回路（Ｙ方向）に設けられた半導体層、１８ｂは半導体層１８ａのチャネル長方
向をそれぞれ指している。
【００５５】
以上のように、本発明は、レーザー光の照射方向１４ｂと、被剥離層に設けられた全て
の半導体層のチャネル長方向１３ｂ、１６ｂ、１８ｂとを同一方向とし、これらの方向と
湾曲している方向１９とが直交するように設定することが最大の特徴である。
【００５６】
なお、これらの方向の相互関係をさらに明瞭にするため、一つのＴＦＴに着目した場合
を図２に示す。図２では、半導体層２０、ゲート電極２１、電極（ソース電極またはドレ
イン電極）２２、２３を有するＴＦＴが簡略に示してある。なお、このＴＦＴは公知の技
術を用いて形成することができ、非晶質構造を有する半導体膜（アモルファスシリコン等
）を公知の結晶化技術により結晶構造を有する半導体膜（ポリシリコン等）にした後、所
望の形状にパターニングを施して半導体層２０を形成し、ゲート絶縁膜（図示しない）で
覆った後、ゲート絶縁膜を間に挟んで半導体層２０と一部重なるようにゲート電極２１を
形成し、ｎ型またはｐ型を付与する不純物元素を半導体層の一部に添加してソース領域ま
たはドレイン領域を形成し、ゲート電極を覆う層間絶縁膜（図示しない）を形成し、層間
絶縁膜上にソース領域またはドレイン領域に電気的に接続する電極（ソース電極またはド
レイン電極）２２、２３を形成すればよい。
【００５７】
本発明においては、このＴＦＴを作製する上で、レーザー光の走査方向２５が図２に示
した方向であるレーザー光を用いる。また、ゲート絶縁膜を間に挟んでゲート電極２１と
重なる半導体層２０の部分はチャネルとして機能し、チャネル長方向２４は図２に示した
方向となる。レーザー光の走査方向２５とチャネル長方向２４は同一の方向となる。また
、チャネル長方向２４と直交する方向であるチャネル幅方向は、湾曲している方向２６と
同一の方向であり、湾曲している方向２６は図２に示した方向となる。なお、図２ではト
ップゲート型ＴＦＴを例に示したが、本発明はＴＦＴ構造に限定することなく適用するこ
とができ、例えばボトムゲート型（逆スタガ型）ＴＦＴや順スタガ型ＴＦＴに適用するこ
とが可能である。
【００５８】
また、ここではシリコンを含む半導体層を活性層としたＴＦＴを示したが、特に限定さ
れず、有機材料を用いて活性層とした有機ＴＦＴを作製することも可能である。有機ＴＦ
Ｔの活性層となる材料は、他の元素と組み合わせてかなりの量の炭素を含んでいる材料、
あるいはダイヤモンドを除く炭素元素の同位体を含む材料である。有機ＴＦＴの活性層と
なる材料として、代表的にはＣ60、Ｃ70、チオフェンポリマー、チオフェン置換誘導体、
ポリ（チエニレンビニレン）などが挙げられる。
【００５９】
また、本発明は様々な半導体装置の作製方法に用いることができる。特に、転写体や支
持体をプラスチック基板とすることで、軽量化が図れる。
【００６０】
液晶表示装置を作製する場合は、支持体を対向基板とし、シール材を接着材として用い
て支持体を被剥離層に接着すればよい。この場合、被剥離層に設けられた素子は画素電極
を有しており、該画素電極と、前記対向基板との間には液晶材料が充填されるようにする
。また、液晶表示装置を作製する順序は、特に限定されず、支持体としての対向基板を貼
りつけ、液晶を注入した後に基板を剥離して転写体としてのプラスチック基板を貼りつけ
てもよいし、画素電極を形成した後、基板を剥離し、第１の転写体としてのプラスチック
基板を貼り付けた後、第２の転写体としての対向基板を貼りつけてもよい。
【００６１】
また、有機化合物を含む層を発光層とする発光素子を有する装置として代表される発光
装置を作製する場合は、支持体を封止材として、外部から水分や酸素といった有機化合物
層の劣化を促す物質が侵入することを防ぐように発光素子を外部から完全に遮断すること
が好ましい。また、有機化合物を含む層を発光層とする発光素子を有する装置として代表
される発光装置を作製する場合は、支持体だけでなく、転写体も同様、十分に外部から水
分や酸素といった有機化合物層の劣化を促す物質が侵入することを防ぐことが好ましい。
また、発光装置を作製する順序は、特に限定されず、発光素子を形成した後、支持体とし
てのプラスチック基板を貼りつけ、基板を剥離し、転写体としてのプラスチック基板を貼
りつけてもよいし、発光素子を形成した後、基板を剥離して、第１の転写体としてのプラ
スチック基板を貼り付けた後、第２の転写体としてのプラスチック基板を貼りつけてもよ
い。また、水分や酸素の透過による劣化を抑えることを重要視するなら、剥離後に被剥離
層に接する薄膜を成膜することによって、剥離の際に生じるクラックを修復し、被剥離層
に接する薄膜として熱伝導性を有する膜、具体的にはアルミニウムの窒化物またはアルミ
ニウムの窒化酸化物を用いることによって、素子の発熱を拡散させて素子の劣化を抑える
効果とともに、転写体、具体的にはプラスチック基板の変形や変質を保護する効果を得る
ことができる。また、この熱伝導性を有する膜は、外部からの水分や酸素等の不純物の混
入を防ぐ効果も有する。
【００６２】
以上の構成でなる本発明について、以下に示す実施例でもってさらに詳細な説明を行う
こととする。
【実施例１】
【００６３】
ここでは、本発明に適したレーザー処理装置の例を示す。
【００６４】
レーザーアニールよるアモルファスシリコンの結晶化は、溶融−固化の過程を経て成さ
れるが、詳細には結晶核の生成とその核からの結晶成長との段階に分けて考えられている
。しかしながら、パルスレーザービームを用いたレーザーアニールは、結晶核の生成位置
と生成密度を制御することができず、自然発生するままにまかせている。従って、結晶粒
はガラス基板の面内で任意の位置に形成され、そのサイズも０．２〜０．５μm程度と小
さなものしか得られていない。結晶粒界には多数の欠陥が生成され、それがＴＦＴの電界
効果移動度を制限する要因であると考えられている。
【００６５】
一方、連続発振レーザーを走査して溶融−固化させながら結晶化する方法は、ゾーンメル
ティング法に近い方法であると考えられるが、大きなビームサイズが得られず、大面積基
板の全面に渡って結晶化を成し遂げるには、かなりの時間を要することは自明であった。
【００６６】
本実施例では、大面積基板の全面にわたって、ＴＦＴを形成する位置に概略合わせてレ
ーザービームを照射して結晶化させ、スループット良く大粒径の結晶半導体膜を形成する
ことができるレーザー処理装置を以下に示す。
【００６７】
本実施例のレーザー照射装置は、レーザービームを主走査方向に偏向させる第１可動ミ
ラーと、主走査方向に偏向されたレーザービームを受光して、副走査方向に走査する長尺
の第２可動ミラーとを備え、第２可動ミラーはその長尺方向の軸を中心とした回転角によ
り、レーザービームを副走査方向に走査して、載置台上の被処理物に当該レーザービーム
を照射する手段を備えている。
【００６８】
また、他のレーザー照射装置として、レーザービームを第１主走査方向に偏向させる第
１可動ミラーと、第１主走査方向に偏向されたレーザービームを受光して、第１副走査方
向に走査する長尺の第２可動ミラーとを備えた第１のレーザービーム走査系と、レーザー
ビームを第２主走査方向に偏向させる第３可動ミラーと、第２主走査方向に偏向されたレ
ーザービームを受光して、第２副走査方向に走査する長尺の第４可動ミラーとを備えた第
２のレーザービーム走査系と、第２可動ミラーはその長尺方向の軸を中心とした回転角に
より、レーザービームを第１副走査方向に走査して、載置台上の被処理物に当該レーザー
ビームを照射する手段と第４可動ミラーはその長尺方向の軸を中心とした回転角により、
レーザービームを第２副走査方向に走査して、載置台上の被処理物に当該レーザービーム
を照射する手段とを備えているレーザー照射装置としてもよい。
【００６９】
上記構成において、第１及び第２可動ミラーはガルバノミラー又はポリゴンミラーを適
用し、レーザービームを供給するレーザーは、固体レーザー、気体レーザーを適用すれば
よい。
【００７０】
上記構成において、レーザービームを第１可動ミラーで主走査方向に走査し、第２可動
ミラーで副走査方向に走査することにより、被処理物上において任意の位置にレーザービ
ームを照射することが可能となる。また、このようなレーザービーム走査手段を複数設け
、二軸方向からレーザービームを被形成面に照射することによりレーザー処理の時間を短
縮することができる。
【００７１】
以下、図面を参照して本実施例のレーザー照射装置を説明する。
【００７２】
図３は本実施例のレーザー処理装置の望ましい一例を示す。図示したレーザー処理装置は
、連続発振又はパルス発振が可能な固体レーザー１０１、レーザービームを集光するため
のコリメータレンズ又はシリンドリカルレンズなどのレンズ１０２、レーザービームの光
路を変える固定ミラー１０３、レーザービームを２次元方向に放射状にスキャンするガル
バノミラー１０４、ガルバノミラー１０４からのレーザービームを受けて載置台１０６の
被照射面にレーザービームを向ける可動ミラー１０５から成っている。ガルバノミラー１
０４と可動ミラー１０５の光軸を交差させ、それぞれ図示する矢印方向にミラーを回転さ
せることにより、載置台１０６上に置かれた基板１０７の全面にわたってレーザービーム
を走査させることができる。可動ミラー１０５はｆθミラーとして、光路差を補正して被
照射面におけるビーム形状を補正することもできる。
【００７３】
図３はガルバノミラー１０４と、可動ミラー１０５により載置台１０６上に置かれた基
板１０７の一軸方向にレーザービームを走査する方式である。より好ましい形態としては
、図４に示すように、図３の構成に加えて、ハーフミラー１０８、固定ミラー１０９、ガ
ルバノミラー１１０、可能ミラー１１１を加えて二軸方向（ＸとＹ方向）同時にレーザー
ビームを走査しても良い。このような構成にすることにより処理時間を短縮することがで
きる。尚、ガルバノミラー１０４、１１０はポリゴンミラーと置き換えても良い。
【００７４】
レーザーとして好ましいものは固体レーザーであり、ＹＡＧ、ＹＶＯ4、ＹＬＦ、ＹＡ
ｌ5Ｏ12などの結晶にＮｄ、Ｔｍ、Ｈｏをドープした結晶を使ったレーザーが適用される
。発振波長の基本波はドープする材料によっても異なるが、１μmから２μmの波長で発振
する。非単結晶半導体膜の結晶化には、レーザービームを半導体膜で選択的に吸収させる
ために、当該発振波長の第２高調波〜第４高調波を適用するのが好ましい。代表的には、
アモルファスシリコンの結晶化に際して、Ｎｄ:ＹＡＧレーザー（基本波１０６４nm）の
第２高調波（５３２nm）を用いる。
【００７５】
その他に、アルゴンレーザー、クリプトンレーザー、エキシマレーザーなどの気体レー
ザーを適用することもできる。
【００７６】
また、レーザー光を照射する雰囲気は、酸素を含む雰囲気、窒素を含む雰囲気、不活性
雰囲気や、真空のいずれでもよいが、目的に応じて適宜選択すればよい。
【００７７】
発振はパルス発振、連続発振のいずれの形態でも良いが、半導体膜の溶融状態を保って
連続的に結晶成長させるためには、連続発振のモードを選択することが望ましい。
【００７８】
基板上にレーザーアニールにより結晶化させた半導体膜でＴＦＴを形成する場合、結晶
の成長方向とキャリアの移動方向とを揃えると高い電界効果移動度を得ることができる。
即ち、結晶成長方向とチャネル長方向とを一致させることで電界効果移動度を実質的に高
くすることができる。
【００７９】
連続発振するレーザービームを非単結晶半導体膜に照射して結晶化させる場合には、固
液界面が保持され、レーザービームの走査方向に連続的な結晶成長を行わせることが可能
である。図４で示すように、駆動回路一体型のアクティブマトリクス型液晶表示装置を形
成するためのＴＦＴ基板（主としてＴＦＴが形成された基板）１１２では、画素部１１３
の周辺に駆動回路部１１４、１１５が設けられるが、図４に示すのはそのようなレイアウ
トを考慮したレーザー照射装置の形態である。前述の如く、二軸方向からレーザービーム
を入射する構成では、ガルバノミラー１０４、１１０及び可動ミラー１０５、１１１の組
み合わせにより、図中矢印で示すＸ方向及びＹ方向にレーザービームを同期又は非同期さ
せて照射することが可能であり、ＴＦＴのレイアウトに合わせて、場所を指定してレーザ
ービームを照射することを可能としている。
【００８０】
図５はＴＦＴが設けられた基板１１２と、レーザービームの照射方向との関係を詳細に
示すものである。基板１１２には画素部１１３、駆動回路部１１４、１１５が形成される
領域を点線で示している。結晶化の段階では、全面に非単結晶半導体膜が形成されている
が、ＴＦＴを形成するための半導体領域は基板端に形成されたアライメントマーカー等に
より特定することができる。
【００８１】
例えば、駆動回路部１１４は走査線駆動回路を形成する領域であり、その部分拡大図３
０１にはＴＦＴの半導体領域２０４とレーザービーム２０１の走査方向を示している。半
導体領域２０４の形状は任意なものを適用することができるが、いずれにしてもチャネル
長方向とレーザービーム２０１の走査方向とを揃えている。また、駆動回路部１１４と交
差する方向に延在する駆動回路部１１５はデータ線駆動回路を形成する領域であり、半導
体領域２０５の配列と、レーザービーム２０２の走査方向を一致させる（拡大図３０２）
。また、画素部１１３も同様であり、拡大図３０３に示す如く半導体領域２０６の配列を
揃えて、チャネル長方向にレーザービーム２０３を走査させる。レーザービームを走査す
る方向は一方向に限定されず、往復走査をしても良い。
【００８２】
次に、図６を参照して、非単結晶半導体膜の結晶化と、形成された結晶半導体膜を用い
てＴＦＴを形成する工程を説明する。図６（１−Ｂ）は縦断面図であり、非単結晶半導体
膜４０３がガラス基板４０１上に形成されている。非単結晶半導体膜４０３の代表的な一
例はアモルファスシリコン膜であり、その他にアモルファスシリコンゲルマニウム膜など
を適用することができる。厚さは１０〜２００nmが適用可能であるが、レーザービームの
波長及びエネルギー密度によりさらに厚くしても良い。また、ガラス基板４０１と非単結
晶半導体膜４０３との間にはブロッキング層４０２を設け、ガラス基板からアルカリ金属
などの不純物が半導体膜中へ拡散しないための手段を施しておくことが望ましい。ブロッ
キング層４０２としては、窒化シリコン膜、酸化窒化シリコン膜などを適用する。
【００８３】
また、剥離を行うためにブロッキング層４０２と基板４０１との間に金属層または窒化
金属層と酸化物層の積層４０９を形成する。金属層または窒化物層としては、Ｔｉ、Ａｌ
、Ｔａ、Ｗ、Ｍｏ、Ｃｕ、Ｃｒ、Ｎｄ、Ｆｅ、Ｎｉ、Ｃｏ、Ｒｕ、Ｒｈ、Ｐｄ、Ｏｓ、Ｉ
ｒ、Ｐｔから選ばれた元素、または前記元素を主成分とする合金材料若しくは化合物材料
からなる単層、またはこれらの積層の窒化物、例えば、窒化チタン、窒化タングステン、
窒化タンタル、窒化モリブデンからなる単層、またはこれらの積層を用いればよい。ここ
ではスパッタ法で膜厚１００ｎｍの窒化チタン膜を用いる。なお、基板と密着性が悪い場
合にはバッファ層を設ければよい。タングステン単層や窒化タングステンは密着性がよく
好ましい材料の一つである。また、酸化物層としては、酸化シリコン材料または酸化金属
材料からなる単層、またはこれらの積層を用いればよい。ここではスパッタ法で膜厚２０
０ｎｍの酸化シリコン膜を用いる。この窒化金属層と酸化物層の結合力は熱処理には強く
、膜剥がれ（ピーリングとも呼ばれる）などが生じないが、物理的手段で簡単に酸化物層
の層内、あるいは界面において剥離することができる。なお、ここではガラス基板を用い
たが、上記剥離法はさまざまな基板を用いることが可能である。基板４０１は石英基板、
セラミック基板、シリコン基板、金属基板またはステンレス基板を用いても良い。
【００８４】
次いで、レーザービーム４００の照射によって結晶化が成され、結晶半導体膜４０４を
形成することができる。レーザービーム４００は図６（１−Ａ）に示すように、想定され
るＴＦＴの半導体領域４０５の位置に合わせて走査するものである。ビーム形状は矩形、
線形、楕円系など任意なものとすることができる。光学系にて集光したレーザービームは
、中央部と端部で必ずしもエネルギー強度が一定ではないので、半導体領域４０５がビー
ムの端部にかからないようにすることが望ましい。
【００８５】
レーザービームの走査は一方向のみの走査でなく、往復走査をしても良い。その場合に
は１回の走査毎にレーザーエネルギー密度を変え、段階的に結晶成長をさせることも可能
である。また、アモルファスシリコンを結晶化させる場合にしばしば必要となる水素出し
の処理を兼ねることも可能であり、最初に低エネルギー密度で走査し、水素を放出した後
、エネルギー密度を上げて２回目に走査で結晶化を完遂させても良い。
【００８６】
このようなレーザービームの照射方法において、連続発振のレーザービームを照射する
ことにより大粒径の結晶成長を可能とする。勿論、それはレーザービームの走査速度やエ
ネルギー密度等の詳細なパラメータを適宜設定する必要があるが、走査速度を１０〜８０
cm/secとすることによりそれを実現することができる。パルスレーザーを用いた溶融−固
化を経た結晶成長速度は１m/secとも言われているが、それよりも遅い速度でレーザービ
ームを走査して、徐冷することにより固液界面における連続的な結晶成長が可能となり、
結晶の大粒径化を実現することができる。
【００８７】
本実施例のレーザー照射装置は、このような状況において、基板の任意の位置を指定し
てレーザービーム照射して結晶化することを可能とするものであり、二軸方向からレーザ
ービームを照射することにより、さらにスループットを向上させることができる。
【００８８】
また、レーザー光を照射することによって、基板との剥離がより小さな力できれいに剥
離でき、大きな面積を有する被剥離層を全面に渡って剥離することを可能とする。
【００８９】
さらに剥離を助長させるため、粒状の酸化物（例えば、ＩＴＯ（酸化インジウム酸化ス
ズ合金）、酸化インジウム酸化亜鉛合金（Ｉｎ2Ｏ3―ＺｎＯ）、酸化亜鉛（ＺｎＯ）等）
を窒化物層または金属層または窒化金属層と酸化物層との界面に設けてもよい。
【００９０】
その後、図６（２−Ａ）及び（２−Ｂ）に示すように、形成された結晶半導体膜をエッ
チングして、島状に分割された半導体領域４０５を形成する。トップゲート型ＴＦＴの場
合には、半導体領域４０５上にゲート絶縁膜４０６、ゲート電極４０７、一導電型不純物
領域４０８を形成してＴＦＴを形成することができる。その後、公知の技術を用い、必要
に応じて配線や層間絶縁膜等を形成して素子を形成すれば良い。
【００９１】
こうしてＴＦＴを有する素子を得たら、実施の形態に従って基板４０１を剥離する。本実
施例では、ブロッキング層４０２上に形成されたものが実施の形態に示した被剥離層１１
ｂに相当する。被剥離層の機械的強度が不十分である場合には、被剥離層を固定する支持
体（図示しない）を貼りつけた後、剥離することが好ましい。
【００９２】
引き剥がすことで簡単に酸化物層上に形成された被剥離層を基板から分離することがで
きる。剥離後の被剥離層は、ある一方向に湾曲させることができる。被剥離層は曲面を有
する転写体（図示しない）に貼り付けることも可能であることは言うまでもない。
【００９３】
本実施例においても、本発明は、レーザー光の照射方向（走査方向）と、被剥離層に設け
られた全ての半導体層２０４〜２０６、および４０５のチャネル長方向とを同一方向とし
、これらの方向と湾曲している方向とが直交するように設定する。こうすることで曲面を
有するディスプレイを実現することができる。
【００９４】
また、本実施例は、実施の形態と自由に組み合わせることができる。
【実施例２】
【００９５】
実施例１ではトップゲート型ＴＦＴの例を示したが、ここではボトムゲート型ＴＦＴの
例を示す。ＴＦＴの構造以外は実施例１と同じであるのでここでは省略する。
【００９６】
図７を参照して、非単結晶半導体膜の結晶化と、形成された結晶半導体膜を用いてＴＦ
Ｔを形成する工程を説明する。
【００９７】
図７（１−Ｂ）は縦断面図であり、ゲート電極５０７がガラス基板上に形成され、ゲート
電極を覆うゲート絶縁膜５０６上に非単結晶半導体膜５０３が形成されている。非単結晶
半導体膜５０３の代表的な一例はアモルファスシリコン膜であり、その他にアモルファス
シリコンゲルマニウム膜などを適用することができる。厚さは１０〜２００nmが適用可能
であるが、レーザービームの波長及びエネルギー密度によりさらに厚くしても良い。また
、ガラス基板５０１とゲート電極との間にはブロッキング層５０２を設け、ガラス基板か
らアルカリ金属などの不純物が半導体膜中へ拡散しないための手段を施しておくことが望
ましい。ブロッキング層５０２としては、窒化シリコン膜、酸化窒化シリコン膜などを適
用する。
【００９８】
また、剥離を行うためにブロッキング層５０２と基板５０１との間に金属層または窒化
金属層と酸化物層の積層５０９を形成する。金属層または窒化物層としては、Ｔｉ、Ａｌ
、Ｔａ、Ｗ、Ｍｏ、Ｃｕ、Ｃｒ、Ｎｄ、Ｆｅ、Ｎｉ、Ｃｏ、Ｒｕ、Ｒｈ、Ｐｄ、Ｏｓ、Ｉ
ｒ、Ｐｔから選ばれた元素、または前記元素を主成分とする合金材料若しくは化合物材料
からなる単層、またはこれらの積層の窒化物、例えば、窒化チタン、窒化タングステン、
窒化タンタル、窒化モリブデンからなる単層、またはこれらの積層を用いればよい。ここ
ではスパッタ法で膜厚１００ｎｍの窒化チタン膜を用いる。なお、基板と密着性が悪い場
合にはバッファ層を設ければよい。タングステン単層や窒化タングステンは密着性がよく
好ましい材料の一つである。また、酸化物層としては、酸化シリコン材料または酸化金属
材料からなる単層、またはこれらの積層を用いればよい。ここではスパッタ法で膜厚２０
０ｎｍの酸化シリコン膜を用いる。この窒化金属層と酸化物層の結合力は熱処理には強く
、膜剥がれ（ピーリングとも呼ばれる）などが生じないが、物理的手段で簡単に酸化物層
の層内、あるいは界面において剥離することができる。
【００９９】
次いで、レーザービーム５００の照射によって結晶化が成され、結晶半導体膜５０４を
形成することができる。レーザービームは実施例１に示したレーザー処理装置を用いて得
られる。レーザービーム５００は図７（１−Ａ）に示すように、想定されるＴＦＴの半導
体領域５０５の位置に合わせて走査するものである。
ビーム形状は矩形、線形、楕円系など任意なものとすることができる。光学系にて集光し
たレーザービームは、中央部と端部で必ずしもエネルギー強度が一定ではないので、半導
体領域５０５がビームの端部にかからないようにすることが望ましい。
【０１００】
レーザービームの走査は一方向のみの走査でなく、往復走査をしても良い。その場合に
は１回の走査毎にレーザーエネルギー密度を変え、段階的に結晶成長をさせることも可能
である。また、アモルファスシリコンを結晶化させる場合にしばしば必要となる水素出し
の処理を兼ねることも可能であり、最初に低エネルギー密度で走査し、水素を放出した後
、エネルギー密度を上げて２回目の走査で結晶化を完遂させても良い。
【０１０１】
このようなレーザービームの照射方法において、連続発振のレーザービームを照射する
ことにより大粒径の結晶成長を可能とする。勿論、それはレーザービームの走査速度やエ
ネルギー密度等の詳細なパラメータを適宜設定する必要があるが、走査速度を１０〜８０
cm/secとすることによりそれを実現することができる。パルスレーザーを用いた溶融−固
化を経た結晶成長速度は１m/secとも言われているが、それよりも遅い速度でレーザービ
ームを走査して、徐冷することにより固液界面における連続的な結晶成長が可能となり、
結晶の大粒径化を実現することができる。
【０１０２】
また、レーザー光を照射することによって、基板との剥離がより小さな力できれいに剥
離でき、大きな面積を有する被剥離層を全面に渡って剥離することを可能とする。
【０１０３】
さらに剥離を助長させるため、粒状の酸化物（例えば、ＩＴＯ（酸化インジウム酸化ス
ズ合金）、酸化インジウム酸化亜鉛合金（Ｉｎ2Ｏ3―ＺｎＯ）、酸化亜鉛（ＺｎＯ）等）
を窒化物層または金属層または窒化金属層と酸化物層との界面に設けてもよい。
【０１０４】
その後、図７（２−Ａ）及び（２−Ｂ）に示すように、形成された結晶半導体膜をエッ
チングして、島状に分割された半導体領域５０５を形成する。ここでは半導体領域５０５
上にエッチングストッパーを設け、一導電型不純物領域５０８を形成してＴＦＴを形成す
ることができる。その後、公知の技術を用い、必要に応じて配線や層間絶縁膜等を形成し
て素子を形成すれば良い。
【０１０５】
こうしてＴＦＴを有する素子を得たら、実施の形態に従って基板５０１を剥離する。本実
施例では、ブロッキング層５０２上に形成されたものが実施の形態に示した被剥離層１１
ｂに相当する。被剥離層の機械的強度が不十分である場合には、被剥離層を固定する支持
体（図示しない）を貼りつけた後、剥離することが好ましい。
【０１０６】
引き剥がすことで簡単に酸化物層上に形成された被剥離層を基板から分離することがで
きる。剥離後の被剥離層は、ある一方向に湾曲させることができる。被剥離層は曲面を有
する転写体（図示しない）に貼り付けることも可能であることは言うまでもない。
【０１０７】
本実施例においても、レーザー光の照射方向（走査方向）と、被剥離層に設けられた全て
の半導体層５０５のチャネル長方向とを同一方向とし、これらの方向と湾曲している方向
とが直交するように設定する。こうすることで曲面を有するディスプレイを実現すること
ができる。
【０１０８】
また、本実施例は、実施の形態と自由に組み合わせることができる。
【実施例３】
【０１０９】
本実施例では、ＴＦＴを含む被剥離層を転写する技術を図８に示す。
【０１１０】
図８中、８３０は第１の基板、８３１は窒化物層または金属層からなる第１の材料層、
８３２は酸化物層からなる第２の材料層、８３３は被剥離層、８３４は第１の接着材、８
３５は第２の基板、８３６は第２の接着材、８３７は第３の基板である。
【０１１１】
本実施例では、第１の基板８３０として、ガラス基板、石英基板、セラミック基板など
を用いることができる。また、シリコン基板を代表とする半導体基板、またはステンレス
基板を代表とする金属基板を用いても良い。ここでは厚さ０．７ｍｍのガラス基板（♯１
７３７）を用いる。
【０１１２】
まず、図８（Ａ）に示すように基板８３０上に第１の材料層８３１を形成する。第１の
材料層８３１としては、成膜直後において圧縮応力を有していても引張応力を有していて
もよいが、被剥離層形成における熱処理やレーザー光の照射によりピーリング等の異常が
生じず、且つ、被剥離層形成後で１〜１×１０10（Dyne/cm2）の範囲で引張応力を有する
材料を用いることが重要である。代表的な一例はＷ、ＷＮ、ＴｉＮ、ＴｉＷから選ばれた
元素、または前記元素を主成分とする合金材料若しくは化合物材料からなる単層、または
これらの積層が挙げられる。なお、第１の材料層８３１は、スパッタ法を用いればよい。
【０１１３】
次いで、第１の材料層８３１上に第２の材料層８３２を形成する。第２の材料層８３２
としては、被剥離層形成における熱処理やレーザー光の照射によりピーリング等の異常が
生じず、且つ、被剥離層形成後で１〜１×１０10（Dyne/cm2）
の範囲で圧縮応力を有する材料を用いることが重要である。第２の材料層８３２として、
代表的な一例は酸化シリコン、酸化窒化シリコン、酸化金属材料、またはこれらの積層が
挙げられる。なお、第２の材料層８３２は、スパッタ法を用いて成膜すればよい。第２の
材料層８３２をスパッタ法で成膜する場合、アルゴンガスで代表される希ガスをチャンバ
ー内に導入して、第２の材料層８３２中に微量の希ガス元素を含ませる。
【０１１４】
第１の材料層８３１と第２の材料層８３２において、各々の膜厚は、１ｎｍ〜１０００
ｎｍの範囲で適宜設定し、第１の材料層８３１における内部応力および第２の材料層８３
２における内部応力を調節すればよい。
【０１１５】
また、図８では、プロセスの簡略化を図るため、基板８３０に接して第１の材料層８３１
を形成した例を示したが、基板８３０と第１の材料層８３１との間にバッファ層となる絶
縁層や金属層を設け、基板８３０との密着性を向上させてもよい。
【０１１６】
次いで、第２の材料層８３２上に被剥離層８３３を形成する。（図８（Ａ））
被剥離層８３３は、様々な素子（薄膜トランジスタ、有機化合物を含む層を発光層とする
発光素子、液晶を有する素子、メモリー素子、薄膜ダイオード、シリコンのＰＩＮ接合か
らなる光電変換素子、またはシリコン抵抗素子）を含む層とすればよい。ただし、液晶を
有する素子において、被剥離層８３３は対向基板を含むものとする。また、被剥離層８３
３の形成プロセスとして、第１の基板８３０の耐え得る範囲の熱処理を行うことができる
。なお、第２の材料層８３２における内部応力と、第１の材料層８３１における内部応力
が異なっていても、被剥離層８３３の作製工程における熱処理によって膜剥がれなどが生
じない。
【０１１７】
次いで、第１の材料層８３１と第２の材料層８３２との密着性を部分的に低下させる処
理を行う。密着性を部分的に低下させる処理は、剥離しようとする領域の周縁に沿って前
記第２の材料層または前記第１の材料層にレーザー光を部分的に照射する処理、或いは、
剥離しようとする領域の周縁に沿って外部から局所的に圧力を加えて前記第２の材料層の
層内または界面の一部分に損傷を与える処理である。具体的にはダイヤモンドペンなどで
硬い針を垂直に押しつけて荷重をかけて動かせばよい。好ましくは、スクライバー装置を
用い、押し込み量を０．１ｍｍ〜２ｍｍとし、圧力をかけて動かせばよい。このように、
剥離を行う前に剥離現象が生じやすくなるような部分、即ち、きっかけをつくることが重
要であり、密着性を選択的（部分的）に低下させる前処理を行うことで、剥離不良がなく
なり、さらに歩留まりも向上する。
【０１１８】
次いで、第１の接着材８３４で第２の基板８３５と被剥離層８３３とを接着する。（図
８（Ｂ））第１の接着材８３４としては、反応硬化型接着剤、熱硬化型接着剤、紫外線硬
化型接着剤等の光硬化型接着剤、嫌気型接着剤などの各種硬化型接着剤が挙げられる。加
えて、これらの接着剤が溶媒溶液に溶ける可溶性や、光が照射されると接着力が低下する
感光性を有していてもよい。これらの接着剤の組成としては、例えば、エポキシ系、アク
リレート系、シリコーン系等いかなるものでもよい。このような接着剤の形成は、例えば
、塗布法によってなされる。なお、第１の接着材は後の工程で除去される。ここでは、第
１の接着材として溶媒溶液（水やアルコールやトルエンなど）に溶ける可溶性を有する接
着材料を用いる。
【０１１９】
また、第１の接着材８３４に代えて片面または両面に接着剤を有するテープを用いても
よい。このテープの片面または両面には、溶媒溶液に溶ける可溶性や、光が照射されると
接着力が低下する感光性を有する接着材を有していてもよい。
【０１２０】
第２の基板８３５は、ガラス基板、石英基板、セラミック基板、プラスチック基板など
を用いることができる。また、シリコン基板を代表とする半導体基板、またはステンレス
基板を代表とする金属基板を用いても良い。
【０１２１】
本実施例では、第２の基板８３５として第１の基板８３０よりも厚さの厚く剛性の高い
石英基板（厚さ１．１ｍｍ）を用いる。第２の基板としてプラスチックフィルムを用いた
場合、第１の基板８３０上に形成した素子をプラスチックフィルムに転写する際、即ち、
第１の接着材８３４で被剥離層８３３とフィルムを接着してフィルムを持ち上げる際、フ
ィルムが折れ曲がり、被剥離層８３３も折れ曲がりの影響を受けて、クラックが入ってし
まう恐れがあった。そこで、第１の基板８３０に形成した被剥離層８３３を剛性の高い第
２の基板８３５に第１の接着材８３４で貼りつけた後、第１の基板８３０を剥離し、その
後、第２の接着材８３６で素子を含む層にプラスチックフィルム（第３の基板８３７）を
貼った後で第２の基板８３５を分離する手順とすると、クラックが発生しにくいものとす
ることができる。
【０１２２】
次いで、上記密着性を部分的に低下させた領域側から剥離させ、図８（Ｃ）中の矢印の
方向に向かって、第１の材料層８３１が設けられている第１の基板８３０を物理的手段に
より引き剥がす。（図８（Ｃ））第２の材料層８３２が圧縮応力を有し、第１の材料層８
３１が引張応力を有するため、比較的小さな力（例えば、人間の手、ノズルから吹付けら
れるガスの風圧、超音波等）で引き剥がすことができる。
【０１２３】
こうして、第２の材料層８３２上に形成された被剥離層８３３を第１の基板８３０から
分離することができる。剥離後の状態を図８（Ｄ）に示す。
【０１２４】
次いで、第２の接着材８３６で第３の基板８３７と第２の材料層８３２（及び被剥離層
８３３）とを接着する。（図８（Ｅ））第２の接着材８３６は、第１の接着材８３４より
も接着力が強いことが重要である。
【０１２５】
第２の接着材８３６としては、反応硬化型接着剤、熱硬化型接着剤、紫外線硬化型接着
剤等の光硬化型接着剤、嫌気型接着剤などの各種硬化型接着剤が挙げられる。加えて、こ
れらの接着剤が溶媒溶液に溶ける可溶性や、光が照射されると接着力が低下する感光性を
有していてもよい。これらの接着剤の組成としては、例えば、エポキシ系、アクリレート
系、シリコーン系等いかなるものでもよい。
このような接着剤の形成は、例えば、塗布法によってなされる。なお、第２の接着材は後
の工程で被剥離層の支持体の一つとなる。第２の接着材８３６として、第３の基板と第２
の接着材との密着性と、第２の接着材と被剥離層の密着性とがどちらも高い材料を用いる
。ここでは、第２の接着材８３６として紫外線硬化型接着剤を用いる。
【０１２６】
また、第２の接着材８３６として溶媒溶液に溶ける可溶性や、光が照射されると接着力
が低下する感光性を有している材料を用いた場合、後の工程で第３の基板をも剥離するこ
とができ、第２の接着材のみを支持体とすることも可能である。また、第２の接着材８３
６に代えて片面または両面に接着剤を有するテープを用いてもよい。このテープの片面ま
たは両面には、溶媒溶液に溶ける可溶性や、光が照射されると接着力が低下する感光性を
有する接着材を有していてもよい。
【０１２７】
第３の基板８３７は、フレキシブルな基板を用いれば良い。本実施例では、第３の基板
８３７として、プラスチックフィルムとする。
【０１２８】
図８（Ｅ）の状態を得たら、次いで、溶媒溶液に漬けて第２の基板８３５のみを分離す
る。（図８（Ｆ））第１の接着材は、溶媒溶液に溶ける可溶性を有する接着材料を用いて
いるため、簡単に除去され、第２の基板８３５と被剥離層８３３とが分離する。
【０１２９】
また、被剥離層８３３に含まれる素子の入出力端子は、被剥離層の最上層（即ち、第２
の基板側に最も近い層）に露呈するように形成する。従って、上記第２の基板の分離工程
後、入出力端子部が露呈するように、被剥離層表面の第１の接着材が完全に除去されるこ
とが望ましい。
【０１３０】
また、ここでは、第１の接着材８３４として溶媒溶液に溶ける可溶性を有する接着材料
を用い、溶媒溶液に漬けて第２の基板を分離した例を示したが、特に限定されず、例えば
、熱硬化型接着材（紫外線を照射すると接着力が低下する）を第１の接着材として用い、
紫外線を照射することで第２の基板を分離してもよい。
【０１３１】
以上の工程で第２の接着材８３６及び第３の基板８３７を支持体とする被剥離層８３３
を備えた半導体装置を作製することができる。そして、図８（Ｇ）に示すように湾曲させ
れば、曲面の曲率半径が、５０ｃｍ〜２００ｃｍである半導体装置を完成させることがで
きる。湾曲させる際には設置する曲面に沿って接着すればよい。なお、第２の接着材８３
６と被剥離層８３３との間には第２の材料層である酸化物層８３２がある。こうして得ら
れる半導体装置は、第２の材料層８３２がスパッタ法で成膜され、第２の材料層８３２中
に微量の希ガス元素を含ませているため、半導体装置全体としてフレキシブルなものとす
ることができる。
【０１３２】
また、本実施例では第３の基板に接着してから、湾曲させたが、直接、曲面を有する基
材に第２の接着材８３６で接着させて湾曲させてもよい。
【０１３３】
ここでは、以上の工程で半導体装置を完成させた例を示したが、以上の工程で半導体装
置の途中までを作製してもよい。例えば、上記工程に従って、ＴＦＴからなる回路を含む
被剥離層を形成し、第２の接着材及び第３の基板を支持体とする被剥離層を得た後で、さ
らに素子形成工程を加えて様々な半導体装置、代表的には有機化合物を含む層を発光層と
する発光素子を有する発光装置や液晶表示装置を完成させてもよい。
【０１３４】
また、パッシブ型の有機化合物を含む層を発光層とする発光素子を有する発光装置を作製
することもできる。
【０１３５】
また、第３の基板と第２の接着材との密着性を低下させるため、第３の基板８３７とし
て表面にＡｌＮXＯY膜が形成されたプラスチックフィルムを用いた場合、第２の基板８３
５及び第３の基板８３７を分離することができる。この場合、第２の接着材８３６を支持
体とする被剥離層８３３を備えた半導体装置を作製することができる。この半導体装置は
支持体を第２の接着材８３６のみとしているため薄く、軽量、且つ、フレキシブルなもの
とすることができる。
【０１３６】
また、実際に上記工程を行って、第１の基板を剥離する前に、第１の基板上に形成され
たＴＦＴの電気測定を行い、第１の基板及び第２の基板を剥離した後、再度、ＴＦＴの電
気測定を行った。剥離前後でＴＦＴの特性はほとんど変化なかった。剥離後のチャネル長
Ｌ／チャネル幅Ｗ＝５０μｍ／５０μｍのｎチャネル型ＴＦＴのＶ−Ｉ特性グラフを図９
に示す。また、剥離後のチャネル長Ｌ／チャネル幅Ｗ＝５０μｍ／５０μｍのｐチャネル
型ＴＦＴのＶ−Ｉ特性グラフを図１０に示す。
【０１３７】
剥離前後でＴＦＴの特性はほとんど変化なかったことから、このような一連の手順で転
写、貼り合わせなどを行っても、ＴＦＴに影響を与えない工程であるといえる。また、プ
ラスチック基板上にＴＦＴを直接形成することも可能であるが基板の耐熱性が低いため、
３００℃以上の熱処理を行うことが困難であり、図９、及び図１０で得られるような高い
特性を示すＴＦＴを形成することも困難である。本実施例に示したように、耐熱性を有す
る基板上にＴＦＴを形成した後で、耐熱性を有する基板を剥離することによって図９及び
図１０で得られるような高い特性を示すＴＦＴを形成することが可能となっている。
【実施例４】
【０１３８】
本実施例では、実施例３に示した技術を用い、有機化合物を含む層を発光層とする発光
素子を有する発光装置を作製する手順を図１１に示す。
【０１３９】
まず、同一基板上に画素部（ｎチャネル型ＴＦＴ及びｐチャネル型ＴＦＴ）と、画素部
の周辺に設ける駆動回路のＴＦＴ（ｎチャネル型ＴＦＴ及びｐチャネル型ＴＦＴ）を同時
に作製し、その上に有機発光素子（ＯＬＥＤ：Organic Light Emitting Device）を形成
する。
【０１４０】
実施例３に従って第１の基板９３０上に窒化物層または金属層からなる第１の材料層９
３１、酸化物層からなる第２の材料層９３２を形成する。
【０１４１】
次いで、第２の材料層９３２上にＴＦＴ及び配線を含む層９３３ａを、実施例１に示し
た技術を用いて作製すればよい。各ＴＦＴを覆う絶縁膜を形成した後、画素部に設けられ
たＴＦＴと電気的に接続する陰極または陽極を形成する。次いで、陰極または陽極の端部
を覆うように両端にバンクとよばれる絶縁物を形成する。また、必要であれば適宜、ＴＦ
Ｔを覆って窒化膜からなるパッシベーション膜（保護膜）を形成してもよい。次いで、両
端がバンクで覆われている陰極または陽極上にＥＬ層（有機化合物材料層）および有機発
光素子の陽極または陰極を形成する。ＥＬ層の下層を陰極とした場合、ＥＬ層上には陽極
を設ければよく、ＥＬ層の下層を陽極とした場合、ＥＬ層上には陰極を設ければよい。
【０１４２】
ＥＬ層としては、発光層、電荷輸送層または電荷注入層を自由に組み合わせてＥＬ層（
発光及びそのためのキャリアの移動を行わせるための層）を形成すれば良い。例えば、低
分子系有機ＥＬ材料や高分子系有機ＥＬ材料を用いればよい。
また、ＥＬ層として一重項励起により発光（蛍光）する発光材料（シングレット化合物）
からなる薄膜、または三重項励起により発光（リン光）する発光材料（トリプレット化合
物）からなる薄膜を用いることができる。また、電荷輸送層や電荷注入層として炭化珪素
等の無機材料を用いることも可能である。これらの有機ＥＬ材料や無機材料は公知の材料
を用いることができる。なお、ＥＬ層は合計しても１００nm程度の薄膜層として形成する
。そのため、陰極または陽極として形成する表面は平坦性を高めておく必要がある。
【０１４３】
また、陰極に用いる材料としては仕事関数の小さい金属（代表的には周期表の１族もし
くは２族に属する金属元素）や、これらを含む合金を用いることが好ましいとされている
。仕事関数が小さければ小さいほど発光効率が向上するため、中でも、陰極に用いる材料
としては、アルカリ金属の一つであるＬｉ（リチウム）を含む合金材料が望ましい。
【０１４４】
また、陽極に用いる導電膜としては、陰極を形成する材料よりも仕事関数の大きい材料
を用い、ＩＴＯ（酸化インジウム酸化スズ合金）、酸化インジウム酸化亜鉛合金（Ｉｎ2
Ｏ3―ＺｎＯ）、酸化亜鉛（ＺｎＯ）等、さらにＩＴＯよりもシート抵抗の低い材料、具
体的には白金（Ｐｔ）、クロム（Ｃｒ）、タングステン（Ｗ）、もしくはニッケル(Ｎｉ)
といった材料を用いることができる。
【０１４５】
なお、本明細書では、有機化合物を含む層を発光層とする発光素子の陽極と陰極の間に
形成された全ての層を有機発光層と定義する。有機発光層には具体的に、発光層、正孔注
入層、電子注入層、正孔輸送層、電子輸送層等が含まれる。基本的に有機発光素子は、陽
極／発光層／陰極が順に積層された構造を有しており、この構造に加えて、陽極／正孔注
入層／発光層／陰極や、陽極／正孔注入層／発光層／電子輸送層／陰極等の順に積層した
構造を有していることもある。
【０１４６】
有機化合物を含む層を発光層とする発光素子は、電場を加えることで発生するルミネッ
センス（Electroluminescence）が得られる有機化合物（有機発光材料）を含む層（以下
、有機発光層と記す）と、陽極と、陰極とを有している。
【０１４７】
また、有機発光素子に流れる電流をＴＦＴで制御する場合、大きく分けて２通りの方法
がある。具体的には、飽和領域と呼ばれる電圧範囲で電流を制御する方法と、飽和領域に
達するまでの電圧範囲で電流を制御する方法とがある。本明細書では、Ｖｄ−Ｉｄ曲線に
おいて、電流値がほぼ一定となるＶｄの範囲を飽和領域と呼んでいる。本発明は有機発光
素子の駆動方法に限定されず、どのような駆動方法を用いてもよい。
【０１４８】
以上の工程で、有機化合物を含む層を発光層とする発光素子を含む層９３３ｂと、該発
光素子と接続するＴＦＴを含む層９３３ａとが積層された被剥離層が形成される。なお、
有機化合物を含む層を発光層とする発光素子は水分や酸素に弱いため、有機化合物を含む
層を発光層とする発光素子を形成した直後に、封止のための基板や封止缶や封止材で封止
してもよい。
【０１４９】
次いで、第１の材料層９３１と第２の材料層９３２との密着性を部分的に低下させる処
理を行う。密着性を部分的に低下させる処理は、剥離しようとする領域の周縁に沿って前
記第２の材料層または前記第１の材料層にレーザー光を部分的に照射する処理、或いは、
剥離しようとする領域の周縁に沿って外部から局所的に圧力を加えて前記第２の材料層の
層内または界面の一部分に損傷を与える処理である。具体的にはダイヤモンドペンなどで
硬い針を垂直に押しつけて荷重をかけて動かせばよい。好ましくは、スクライバー装置を
用い、押し込み量を０．１ｍｍ〜２ｍｍとし、圧力をかけて動かせばよい。このように、
剥離を行う前に剥離現象が生じやすくなるような部分、即ち、きっかけをつくることが重
要であり、密着性を選択的（部分的）に低下させる前処理を行うことで、剥離不良がなく
なり、さらに歩留まりも向上する。
【０１５０】
次いで、被剥離層９３３ａに設けられたＴＦＴと接続する引き出し配線の端部に設けら
れた端子電極にＦＰＣ９０１を貼りつける。
【０１５１】
次いで、第１の接着材９３４で第２の基板９３５と被剥離層９３３ａ、９３３ｂとを接
着する。（図９（Ｂ））第２の基板９３５には予め接着剤９０３でフィルム９０２を接着
しておく。この接着剤９０３は、第１の接着材９３４よりも接着力の弱い材料を用いるこ
とが好ましく、溶媒溶液に溶ける可溶性や、光が照射されると接着力が低下する感光性を
有しているものが望ましい。なお、接着材９０３は後の工程で除去される。また、接着材
９０３に代えて片面または両面に接着剤を有するテープを用いてもよい。このテープの片
面または両面には、溶媒溶液に溶ける可溶性や、光が照射されると接着力が低下する感光
性を有する接着材を有していてもよい。
【０１５２】
第１の接着材９３４としては、反応硬化型接着剤、熱硬化型接着剤、紫外線硬化型接着
剤等の光硬化型接着剤、嫌気型接着剤などの各種硬化型接着剤が挙げられる。これらの接
着剤の組成としては、例えば、エポキシ系、アクリレート系、シリコーン系等いかなるも
のでもよい。ただし、有機化合物を含む層を発光層とする発光素子は水分や酸素に弱いた
め、水分や酸素のバリア性の高い材料であることが望ましい。このような接着剤の形成は
、例えば、塗布法によってなされる。本実施例では第１の接着材９３４として熱硬化型接
着剤を用いる。
【０１５３】
第２の基板９３５は、ガラス基板、石英基板、セラミック基板、プラスチック基板など
を用いることができる。また、シリコン基板を代表とする半導体基板、またはステンレス
基板を代表とする金属基板を用いても良い。
【０１５４】
本実施例では、第２の基板９３５として第１の基板９３０よりも厚さの厚く剛性の高い
石英基板（厚さ１．１ｍｍ）を用いる。第２の基板としてプラスチックフィルムを用いた
場合、第１の基板９３０上に形成した素子をプラスチックフィルムに転写する際、即ち、
第１の接着材９３４で被剥離層９３３とフィルムを接着してフィルムを持ち上げる際、フ
ィルムが折れ曲がり、被剥離層も折れ曲がりの影響を受けて、クラックが入ってしまう恐
れがあった。そこで、第１の基板９３０に形成した被剥離層を剛性の高い第２の基板９３
５に第１の接着材９３４で貼りつけた後、第１の基板９３０を剥離し、その後、第２の接
着材９３６で素子を含む層にプラスチックフィルム（第３の基板９３７）を貼った後で第
２の基板９３５を分離する手順とすると、クラックが発生しにくいものとすることができ
る。
【０１５５】
次いで、上記密着性を部分的に低下させた領域側から剥離させ、図１１（Ｃ）
中の矢印の方向に向かって、第１の材料層９３１が設けられている第１の基板９３０を物
理的手段により引き剥がす。（図１１（Ｃ））第２の材料層９３２が圧縮応力を有し、第
１の材料層９３１が引張応力を有するため、比較的小さな力（例えば、人間の手、ノズル
から吹付けられるガスの風圧、超音波等）で引き剥がすことができる。
【０１５６】
こうして、第２の材料層９３２上に形成された被剥離層９３３ａ、９３３ｂを第１の基
板９３０から分離することができる。
【０１５７】
次いで、第２の接着材９３６で第３の基板９３７と第２の材料層９３２（及び被剥離層
９３３ａ、９３３ｂ）とを接着する。（図１１（Ｄ））第２の接着材９３６は、接着剤９
０３よりも接着力が強いことが重要である。
【０１５８】
第２の接着材９３６としては、反応硬化型接着剤、熱硬化型接着剤、紫外線硬化型接着剤
等の光硬化型接着剤、嫌気型接着剤などの各種硬化型接着剤が挙げられる。本実施例では
第２の接着材９３６として熱硬化型接着剤を用いる。第２の接着材９３６として溶媒溶液
に溶ける可溶性や、光が照射されると接着力が低下する感光性を有している材料を用いた
場合、後の工程で第３の基板をも剥離することができ、フィルム９０２及び第１の接着材
及び第２の接着材のみを支持体とすることも可能である。
【０１５９】
第３の基板９３７は、フレキシブルな基板を用いれば良い。本実施例では、第３の基板
９３７として、９０２と同じプラスチックフィルムを用いる。
【０１６０】
図１１（Ｄ）の状態を得たら、次いで、紫外線を照射して接着剤９０３の接着力を弱め
、第２の基板９３５のみを分離する。（図１１（Ｅ））紫外線を照射することによって簡
単に剥がされ、第２の基板９３５とフィルム９０２とが分離する。
【０１６１】
以上の工程で第２の接着材９３６及び第３の基板９３７を支持体とする被剥離層９３３
ａ、９３３ｂを備えた半導体装置を作製することができる。そして、図１１（Ｆ）に示す
ように湾曲させれば、曲面の曲率半径が、５０ｃｍ〜２００ｃｍである半導体装置を完成
させることができる。湾曲させる際には設置する曲面に沿って接着すればよい。なお、第
２の接着材９３６と被剥離層９３３ａとの間には第２の材料層である酸化物層９３２があ
る。こうして得られる半導体装置は、第２の材料層９３２がスパッタ法で成膜され、第２
の材料層９３２中に微量の希ガス元素を含ませているため、半導体装置全体としてフレキ
シブルなものとすることができる。
【０１６２】
また、上記手順によって得られる湾曲させた有機化合物を含む層を発光層とする発光素
子を有する半導体装置の外観図を図１２（Ａ）、及び図１２（Ｂ）に示す。
【０１６３】
図１２（Ａ）及び図１２（Ｂ）は図１と対応しており、同一の部位には同じ符号を用いて
いる。図１２（Ａ）に示す半導体装置は、図１２（Ａ）中の矢印の方向に発光しており、
且つ、方向１９に示す方向に湾曲している。ここでは図示しないが、画素部１２や駆動回
路１７に設けられた多数の半導体層のチャネル長方向は全て同一方向に配置されている。
また、レーザー光の照射方向、即ち走査方向は、チャネル長方向と同一としている。こう
することによって、結晶成長方向とチャネル長方向とを一致させ、電界効果移動度を実質
的に高くしている。
【０１６４】
また、図１２（Ｂ）に示す半導体装置は、図１２（Ａ）とは逆方向に発光しており、且
つ、方向１９に示す方向に湾曲している。なお、発光方向は、有機化合物を含む層を発光
層とする発光素子の作製方法及び画素の回路構成によって実施者が適宜決定することがで
きる。
【実施例５】
【０１６５】
本実施例では実施例１乃至４のいずれか一に示した技術によって得られた曲面を有する
ディスプレイを乗物に搭載した例を示す。ここでは乗物の代表的な例として自動車を用い
たが、特に限定されず、航空機、列車、電車などに適用できることはいうまでもない。
【０１６６】
図１３は、自動車の運転席周辺を示す図である。ダッシュボード部には音響再生装置、
具体的にはカーオーディオや、カーナビゲーションが設けられている。
カーオーディオの本体２７０１は、表示部２７０２、操作スイッチ２７０３、２７０４を
含む。表示部２７０２に本発明を実施することによって薄型、且つ、軽量なカーオーディ
オを完成させることができる。また、カーナビゲーションの表示部２８０１に本発明を実
施することによって薄型、且つ、軽量なカーナビゲーション完成させることができる。
【０１６７】
また、操作ハンドル部２６０２付近には、ダッシュボード部２６０１にスピードメータ
などの計器のデジタル表示がなされる表示部２６０３が形成される。表示部２７０２に本
発明を実施することによって薄型、且つ、軽量な機械類の表示器を完成させることができ
る。
【０１６８】
また、曲面を有するダッシュボード部２６０１に貼りつけられた表示部２６０２を形成
してもよい。表示部２６０２に本発明を実施することによって薄型、且つ、軽量な機械類
の表示器や画像表示装置を完成させることができる。なお、表示部２６０２は、矢印でし
めした方向に湾曲されている。
【０１６９】
また、曲面を有するフロントガラス２６０４に貼りつけられた表示部２６００を形成し
てもよい。表示部２６００に本発明を実施する場合、透過する材料を用いればよく、本発
明によって薄型、且つ、軽量な機械類の表示器や画像表示装置を完成させることができる
。なお、表示部２６００は、矢印でしめした方向に湾曲されている。ここではフロントガ
ラスとしたが他のウインドウガラスに設けることも可能である。
【０１７０】
例えば、曲面を有するリアウインドウ２９００に貼りつけられた表示部２９０２を形成
してもよい。図１４は、自動車の後部座席周辺を示す図である。なお、図１４は図１３と
対応しており、操作ハンドル部は、同一であるため図１３と同じ符号を用いている。
【０１７１】
また、リアウインドウ２９００に本発明のフレキシブルな表示装置を貼りつけ、さらに
車外に後方を撮影できるカメラを取りつけ、互いに接続すれば、運転者は、車体２９０６
が邪魔になって見ることができない場所を見ることができる。
なお、表示部２９０２は、矢印でしめした方向に湾曲されている。
【０１７２】
また、図１４に示すように右ハンドルであれば、左後方に車体２９０６の一部（窓ガラ
スの間の部分）があるため死角が存在しているが、窓ガラスの間の部分に本発明のフレキ
シブルな表示装置（表示部２９０１）を貼りつけ、さらに車外に死角方向を撮影できるカ
メラを取りつけ、互いに接続すれば、運転者が死角を確認することができる。なお、表示
部２９０１は、矢印でしめした方向に湾曲されている。
【０１７３】
また、シート２９０４に表示部２９０５を設けてもよい。後部座席に座った人がテレビ
をみたり、カーナビゲーションの表示を見ることができる。
【０１７４】
また、ここでは図示しないが、車の天井を基材とし、天井の曲面に沿って有機化合物を
含む層を発光層とする発光素子を有する表示装置を湾曲させて接着することによって、映
像の表示や車内の照明を行うことができる。
【０１７５】
このように、本発明の曲面を有するディスプレイは、曲率半径が５０ｃｍ〜２００ｃｍ
である曲面を有する車内のいたるところに簡単に搭載することができる。
【０１７６】
また、本実施例では車載用カーオーディオやカーナビゲーションを示すが、その他の乗
物の表示器や、据え置き型のオーディオやナビゲーション装置に用いても良い。
【０１７７】
また、本実施例は、実施例１乃至４のいずれか一と自由に組み合わせることができる。
【実施例６】
【０１７８】
実施例１乃至５においては、剥離法として２層間の膜応力（応力歪み）を利用して剥離
を行う剥離方法を用いたが、特に限定されず、被剥離層と基板との間に分離層を設け、該
分離層を薬液（エッチャント）で除去して被剥離層と基板とを分離する方法や、被剥離層
と基板との間に非晶質シリコン（またはポリシリコン）からなる分離層を設け、基板を通
過させてレーザー光を照射して非晶質シリコンに含まれる水素を放出させることにより、
空隙を生じさせて被剥離層と基板を分離させる方法などを用いることが可能である。
【０１７９】
ここでは分離層として水素を多量に含む非晶質シリコン（またはポリシリコン）を用い
、分離層にレーザー光を照射することによって剥離する例を図１５に示す。
【０１８０】
図１５（Ａ）中、６００は基板、６０１は分離層、６０２は被剥離層である。
【０１８１】
図１５（Ａ）において、基板６００は透光性を有する基板、ガラス基板、石英基板など
を用いる。
【０１８２】
次いで、分離層６０１を形成する。分離層６０１としてはアモルファスシリコンまたは
ポリシリコンを用いる。なお、分離層６０１は、スパッタ法、プラズマＣＶＤ法などの成
膜方法を用い、適宜、膜中に多量の水素を含ませるとよい。
【０１８３】
次いで、分離層６０１上に被剥離層６０２を形成する。（図１５（Ａ））被剥離層６０
２は、ＴＦＴを代表とする様々な素子（薄膜ダイオード、シリコンのＰＩＮ接合からなる
光電変換素子やシリコン抵抗素子）を含む層とすればよい。また、基板６００の耐え得る
範囲の熱処理を行うことができる。ただし、分離層６０１は、被剥離層６０２の作製工程
における熱処理によって膜剥がれなどが生じないようにする。本実施例のように、レーザ
ー光を用いて剥離する場合においては、剥離前に水素が放出しないように熱処理温度を４
１０℃以下として被剥離層に含まれる素子を形成することが望ましい。
【０１８４】
次いで、基板６００を通過させ、分離層にレーザー光を照射する。（図１５（Ｂ））レ
ーザー光としては、エキシマレーザー等の気体レーザーや、ＹＡＧレーザーなどの固体レ
ーザーや、半導体レーザーを用いればよい。また、レーザー発振の形態は、連続発振、パ
ルス発振のいずれでもよく、レーザービームの形状も線状または矩形状でもよい。本実施
例において、実施例１に示したレーザー照射装置を用いる。実施例１に示したレーザー照
射装置を用いることによって、大面積基板の全面にわたって、スループット良くレーザー
ビームを照射することができる。また、実施例１に示したレーザー照射装置は、結晶化や
剥離に用いるだけでなく様々なレーザーアニールに用いることができる。
【０１８５】
上記レーザー光の照射によって分離層６０１に含まれる水素を放出させることにより、
空隙を生じさせて被剥離層６０２と基板６００を分離させる。（図１５（Ｃ））実施例１
に示したレーザー照射装置を用いることによって、大きな面積を有する被剥離層を全面に
渡って歩留まりよく剥離することが可能となる。
【０１８６】
剥離後の状態を図１５（Ｄ）に示す。また、ここでは、被剥離層６０２の機械的強度が十
分であると仮定した例を示しているが、被剥離層６０２の機械的強度が不十分である場合
には、被剥離層６０２を固定する支持体（図示しない）を貼りつけた後、剥離することが
好ましい。
【０１８７】
また、剥離後の被剥離層は、ある一方向に湾曲させることができる。被剥離層は曲面を
有する転写体（図示しない）に貼り付けることも可能であることは言うまでもない。
【０１８８】
本実施例においても、レーザー光の照射方向（走査方向）と、被剥離層に設けられた全て
の半導体層のチャネル長方向とを同一方向とし、これらの方向と湾曲している方向とが直
交するように設定する。こうすることで曲面を有するディスプレイを実現することができ
る。
【０１８９】
また、本実施例は、実施の形態、実施例１乃至５と自由に組み合わせることができる。
【０１９０】
なお、本実施例と実施例１と組み合わせる場合には、実施例１の４０９に代えて本実施例
の分離層６０１を用い、裏面からレーザーを照射し、剥離すればよい。
【０１９１】
また、同様に本実施例と実施例２と組み合わせる場合には、実施例２の５０９に代えて本
実施例の分離層６０１を用い、裏面からレーザーを照射し、剥離すればよい。
【図１】
2020170169.tif 000003
【図２】
2020170169.tif 000004
【図３】
2020170169.tif 000005
【図４】
2020170169.tif 000006
【図５】
2020170169.tif 000007
【図６】
2020170169.tif 000008
【図７】
2020170169.tif 000009
【図８】
2020170169.tif 000010
【図９】
2020170169.tif 000011
【図１０】
2020170169.tif 000012
【図１１】
2020170169.tif 000013
【図１２】
2020170169.tif 000014
【図１３】
2020170169.tif 000015
【図１４】
2020170169.tif 000016
【図１５】
2020170169.tif 000017